(57)【要約】【課題】受信したファクシミリデータを複数の転送先のうちいずれかの転送先に転送する場合に、ユーザの負担を抑制しつつ、ユーザが意図しない転送先に転送してしまうことを低減すること。【解決手段】ファクシミリ装置１０であって、当該ファクシミリ装置１０及び１以上の端末装置１５（１５Ａ〜１５Ｃ）のうち少なくとも二つの装置のいずれかから、ファクシミリデータの受信指示を受け付ける指示受付処理と、指示受付処理で受け付けた受信指示に基づき、外部のファクシミリ装置１１（１１Ａ〜１１Ｎのいずれか）からファクシミリデータを受信する受信処理と、受信指示の指示元が、前記少なくとも二つの装置のいずれであるかを特定する特定処理と、受信処理で受信したファクシミリデータを、特定処理で特定した装置に対応付けられている転送先１２（１２Ａ〜１２Ｆのいずれか）に転送する転送処理と、を実行するファクシミリ装置。【選択図】図１
2015070530.tif 000002
【特許請求の範囲】
【請求項１】
指示受付部と、
データ受信部と、
データ転送部と、
制御部と、
を備えるファクシミリ装置であって、
前記制御部は、
前記指示受付部を用いて、当該ファクシミリ装置及び１以上の端末装置のうち少なくとも二つの装置のいずれかから、ファクシミリデータの受信指示を受け付ける指示受付処理と、
前記指示受付処理で受け付けた受信指示に基づき、前記データ受信部を用いて、外部のファクシミリ装置からファクシミリデータを受信する受信処理と、
前記受信指示の指示元が、前記少なくとも二つの装置のいずれであるかを特定する特定処理と、
前記データ送信部を用いて、前記受信処理で受信したファクシミリデータを、前記特定処理で特定した装置に対応付けられている転送先に転送する転送処理と、
を実行するファクシミリ装置。
【請求項２】
請求項１に記載のファクシミリ装置であって、
前記制御部は、
前記特定処理で特定した装置が備える表示部に選択画面を表示させ、前記特定処理で特定した装置に対応付けられている転送先を前記選択画面に表示させて転送先の選択を受け付ける選択受付処理を実行し、
前記転送処理において、前記選択受付処理で選択された転送先に前記ファクシミリデータを転送する、ファクシミリ装置。
【請求項３】
請求項２に記載のファクシミリ装置であって、
前記制御部は、
前記特定処理で特定した装置に対応付けられている転送先のうち、サインイン情報が記憶されている転送先を抽出する抽出処理を実行し、
前記選択受付処理において、前記抽出処理で抽出した転送先を前記選択画面に表示させる、ファクシミリ装置。
【請求項４】
請求項１に記載のファクシミリ装置であって、
記憶部を備え、
前記記憶部は、前記少なくとも二つの装置毎に転送先を対応付けて記憶しており、
前記制御部は、
前記記憶部から前記特定処理で特定した装置に対応付けられている転送先を読み出す読出処理を実行し、
前記転送処理において、前記読出処理で読み出した転送先に前記ファクシミリデータを転送する、ファクシミリ装置。
【請求項５】
請求項１に記載のファクシミリ装置であって、
前記制御部は、前記転送処理において、前記特定処理で特定した装置にサインイン情報が記憶されている転送先に前記ファクシミリデータを転送する、ファクシミリ装置。
【請求項６】
請求項５に記載のファクシミリ装置であって、
前記制御部は、
前記特定処理で特定した装置が前記端末装置である場合に、当該端末装置から前記サインイン情報を取得する取得処理と、
前記取得処理で取得した前記サインイン情報に対応する転送先に前記サインイン情報を送信する送信処理と、
を実行し、前記送信処理で前記サインイン情報を送信した前記転送先へのサインインが成功した後に前記転送処理を実行する、ファクシミリ装置。
【請求項７】
請求項１乃至請求項６のいずれか一項に記載のファクシミリ装置であって、
前記制御部は、
前記受信処理において、前記データ受信部にファクシミリ着信があった場合は前記データ受信部を用いてファクシミリデータを受信し、
前記ファクシミリ着信により前記受信処理でファクシミリデータを受信した場合は当該ファクシミリデータを転送しない、ファクシミリ装置。
【請求項８】
請求項１乃至請求項７のいずれか一項に記載のファクシミリ装置であって、
前記データ受信部は通話回線を介してファクシミリデータを受信し、
前記制御部は、
前記データ受信部を介して前記少なくとも二つの装置のうちいずれかの装置と外部のファクシミリ装置との間で通話を中継する中継処理を実行し、
前記中継処理による通話の中継中に前記少なくとも二つの装置のうち通話を中継している装置から前記受信指示を受け付けた場合に前記受信処理を実行する、ファクシミリ装置。
【発明の詳細な説明】
【技術分野】
【０００１】
ファクシミリデータを転送する技術に関する。
【背景技術】
【０００２】
従来、ファクシミリ装置において、ファクシミリデータを受信すると、記憶手段に格納されている転送先アドレスの転送先と通信して、受信したファクシミリデータを該転送先に転送する技術が知られている（例えば、特許文献１参照）。
【先行技術文献】
【特許文献】
【０００３】
【特許文献１】特開２００９−１８８５８０号公報
【発明の概要】
【発明が解決しようとする課題】
【０００４】
しかしながら、上述した従来の技術は転送先が一つだけであり、転送先が複数ある場合については検討されていなかった。
本明細書では、受信したファクシミリデータを複数の転送先のうちいずれかの転送先に転送する場合に、ユーザの負担を抑制しつつ、ユーザが意図しない転送先に転送してしまうことを低減する技術を開示する。
【課題を解決するための手段】
【０００５】
本明細書によって開示されるファクシミリ装置は、指示受付部と、データ受信部と、データ転送部と、制御部と、を備えるファクシミリ装置であって、前記制御部は、前記指示受付部を用いて、当該ファクシミリ装置及び１以上の端末装置のうち少なくとも二つの装置のいずれかから、ファクシミリデータの受信指示を受け付ける指示受付処理と、前記指示受付処理で受け付けた受信指示に基づき、前記データ受信部を用いて、外部のファクシミリ装置からファクシミリデータを受信する受信処理と、前記受信指示の指示元が、前記少なくとも二つの装置のいずれであるかを特定する特定処理と、前記データ送信部を用いて、前記受信処理で受信したファクシミリデータを、前記特定処理で特定した装置に対応付けられている転送先に転送する転送処理と、を実行する。
【０００６】
上記ファクシミリ装置によると、ユーザは意図する転送先が対応付けられている装置を操作して受信指示を行わせることにより、意図しない転送先にファクシミリデータが転送されてしまうことを低減できる。よって上記ファクシミリ装置によると、受信したファクシミリデータを複数の転送先のうちいずれかの転送先に転送する場合に、ユーザの負担を抑制しつつ、ユーザが意図しない転送先に転送してしまうことを低減することができる。
【０００７】
また、前記制御部は、前記特定処理で特定した装置が備える表示部に選択画面を表示させ、前記特定処理で特定した装置に対応付けられている転送先を前記選択画面に表示させて転送先の選択を受け付ける選択受付処理を実行し、前記転送処理において、前記選択受付処理で選択された転送先に前記ファクシミリデータを転送してもよい。
【０００８】
上記ファクシミリ装置によると、受信指示を行った装置に対応付けられている転送先の中からユーザが転送先を選択できる。この場合に、選択画面には受信指示を行った装置に対応付けられていない転送先は表示されないので、すなわちユーザが意図しない転送先は選択画面に表示されないので、ユーザが意図しない転送先にファクシミリデータを転送してしまうことを低減できる。
【０００９】
また、前記制御部は、前記特定処理で特定した装置に対応付けられている転送先のうち、サインイン情報が記憶されている転送先を抽出する抽出処理を実行し、前記選択受付処理において、前記抽出処理で抽出した転送先を前記選択画面に表示させてもよい。
【００１０】
サインイン情報が記憶されていない転送先にはファクシミリデータを転送できない。上記ファクシミリ装置によると、ファクシミリデータを転送できない転送先が選択画面に表示されてしまわないようにすることができる。
【００１１】
また、上記ファクシミリ装置は、記憶部を備え、前記記憶部は、前記少なくとも二つの装置毎に転送先を対応付けて記憶しており、前記制御部は、前記記憶部から前記特定処理で特定した装置に対応付けられている転送先を読み出す読出処理を実行し、前記転送処理において、前記読出処理で読み出した転送先に前記ファクシミリデータを転送してもよい。
【００１２】
上記ファクシミリ装置によると、ユーザは転送先を選択する操作を行わなくてよいので、ユーザの負担を抑制しつつ、ユーザが意図しない転送先にファクシミリデータを転送してしまうことを低減することができる。
【００１３】
また、前記制御部は、前記転送処理において、前記特定処理で特定した装置にサインイン情報が記憶されている転送先に前記ファクシミリデータを転送してもよい。
【００１４】
サインイン情報が記憶されていない転送先にはサインインできないのでファクシミリデータを転送できない。つまり、サインイン情報が記憶されていない転送先はユーザが意図しない転送先であるといえる。上記ファクシミリ装置によると、サインイン情報が記憶されている転送先にファクシミリデータを転送するので、ユーザが意図しない転送先にファクシミリデータを転送してしまうことを低減できる。
【００１５】
また、前記制御部は、前記特定処理で特定した装置が前記端末装置である場合に、当該端末装置から前記サインイン情報を取得する取得処理と、前記取得処理で取得した前記サインイン情報に対応する転送先に前記サインイン情報を送信する送信処理と、を実行し、前記送信処理で前記サインイン情報を送信した前記転送先へのサインインが成功した後に前記転送処理を実行してもよい。
【００１６】
上記ファクシミリ装置によると、ファクシミリデータの受信指示を行った端末装置からサインイン情報を取得するので、ファクシミリ装置にサインイン情報を記憶しておかなくてよい。
【００１７】
また、前記制御部は、前記受信処理において、前記データ受信部にファクシミリ着信があった場合は前記データ受信部を用いてファクシミリデータを受信し、前記ファクシミリ着信により前記受信処理でファクシミリデータを受信した場合は当該ファクシミリデータを転送しなくてもよい。
【００１８】
ファクシミリ着信によりファクシミリデータを受信した場合、ファクシミリデータを転送するとユーザはユーザの望まないファクシミリデータまでもが転送される虞がある。上記ファクシミリ装置によると、ファクシミリ着信によりファクシミリデータを受信した場合はファクシミリデータを転送しないので、ユーザの望まないファクシミリデータが転送されないようにすることができる。
【００１９】
また、前記データ受信部は通話回線を介してファクシミリデータを受信し、前記制御部は、前記データ受信部を介して前記少なくとも二つの装置のうちいずれかの装置と外部のファクシミリ装置との間で通話を中継する中継処理を実行し、前記中継処理による通話の中継中に前記少なくとも二つの装置のうち通話を中継している装置から前記受信指示を受け付けた場合に前記受信処理を実行してもよい。
【００２０】
上記ファクシミリ装置によると、ユーザは外部のファクシミリ装置との通話中に、当該外部のファクシミリ装置からのファクシミリデータの受信指示を行うことができる。
【００２１】
なお、本明細書によって開示される技術は、ファクシミリシステム、ファクシミリ転送方法、ファクシミリ転送プログラム、ファクシミリ転送プログラムを記録した記録媒体等の種々の態様で実現することができる。
【発明の効果】
【００２２】
上記のファクシミリ装置によると、受信したファクシミリデータを複数の転送先のうちいずれかの転送先に転送する場合に、ユーザの負担を抑制しつつ、ユーザが意図しない転送先に転送してしまうことを低減することができる。
【図面の簡単な説明】
【００２３】
【図１】実施形態１に係るＦＡＸ受信・転送システムの全体構成を示す模式図。
【図２】ＦＡＸ装置の電気的構成を簡略化して示すブロック図。
【図３】対応付けテーブルを示す模式図。
【図４】ＦＡＸデータの受信処理のフローチャート。
【図５】通話中の受信・転送処理のフローチャート。
【図６】ＦＡＸ装置の場合の受信・転送処理のフローチャート。
【図７】子機の場合の受信・転送処理のフローチャート。
【発明を実施するための形態】
【００２４】
＜実施形態１＞
実施形態１を図１ないし図７によって説明する。
【００２５】
（１）ＦＡＸ受信・転送システムの全体構成
図１を参照して、実施形態１に係るＦＡＸ受信・転送システム１の全体構成について説明する。ＦＡＸ受信・転送システム１は、ＦＡＸ装置１０、１以上の外部のＦＡＸ装置１１（１１Ａ〜１１Ｎ）、及び、１以上のクラウドサーバ１２（１２Ａ〜１２Ｆ）を備えて構成されている。ＦＡＸはファクシミリの略称である。ＦＡＸ装置１０はファクシミリ装置の一例である。また、クラウドサーバ１２は転送先の一例である。
【００２６】
ＦＡＸ装置１０と外部のＦＡＸ装置１１とは電話網１３を介して通信可能に接続されている。また、ＦＡＸ装置１０と１以上のクラウドサーバ１２とはＬＡＮ（Ｌｏｃａｌ  Ａｒｅａ  Ｎｅｔｗｏｒｋ）やインターネットなどの通信ネットワーク１４を介して通信可能に接続されている。
【００２７】
ＦＡＸ装置１０は外部のＦＡＸ装置１１との間でＦＡＸデータを送受信する装置である。ＦＡＸ装置１０は外部のＦＡＸ装置１１から受信したＦＡＸデータを印刷することもできるし、受信したＦＡＸデータをクラウドサーバ１２に転送することもできる。
【００２８】
また、ＦＡＸ装置１０は電話機として用いることもできる。具体的には、ＦＡＸ装置１０には通話のための受話器が設けられており、ユーザは受話器を用いて通話することができる。また、ＦＡＸ装置１０には一般の電話機における所謂子機１５（１５Ａ〜１５Ｃ）が無線接続されており、ユーザは子機１５を用いて通話することもできる。子機１５は端末装置の一例である。
【００２９】
ここで、本実施形態では複数のユーザがＦＡＸ装置１０を共有する場合を想定している。各ユーザにはそれぞれ子機１５が配布されており、ユーザは自身に配布されている子機１５を用いて通話する。また、本実施形態では、一人のユーザは子機１５が配布されておらず、ＦＡＸ装置１０の受話器を用いて通話するものとする。
【００３０】
クラウドサーバ１２はデータを記憶するサービスを提供するサーバである。クラウドサーバ１２は例えば外部のサービス提供業者によって管理されている。クラウドサーバ１２にデータを記憶させたりクラウドサーバ１２に記憶されているデータにアクセスしたりするためには予めクラウドサーバ１２で実行されているサービスにユーザＩＤやパスワードなどのサインイン情報を送信してサインインする必要がある。
【００３１】
ここで、サービスはサーバで実行されている常駐プログラムであり、ＵＮＩＸ（登録商標）の場合はデーモンと呼ばれているものである。サインインは所謂ログインと同義であり、クラウドサーバ１２で実行されているサービスにサインイン情報を送信してサービスの利用許諾状態になることをいう。
【００３２】
（２）ＦＡＸ装置の電気的構成
次に、図２を参照して、ＦＡＸ装置１０の電気的構成について説明する。ＦＡＸ装置１０は、制御部２１、表示部２２、操作部２３、回線通信部２４、画像読取部２５、印刷部２６、ネットワーク通信部２７、通話部２８、子機通信部２９を備えて構成されている。
【００３３】
制御部２１はＣＰＵ２１Ａ、ＲＯＭ２１Ｂ、ＲＡＭ２１Ｃ、ＡＳＩＣ２１Ｄ、ＥＥＰＲＯＭ２１Ｅなどを備えて構成されている。ＣＰＵ２１ＡはＲＯＭ２１Ｂに記憶されている制御プログラムを実行することによってＦＡＸ装置１０の各部を制御する。ＲＯＭ２１ＢにはＣＰＵ２１Ａによって実行される制御プログラムや各種のデータなどが記憶されている。ＲＡＭ２１ＣはＣＰＵ２１Ａが各種の処理を実行するための主記憶装置として用いられる。ＥＥＰＲＯＭ２１Ｅは各種のデータを記憶する不揮発性メモリである。ＥＥＰＲＯＭ２１Ｅには後述する対応付けテーブル４０（図３参照）が記憶されている。ＥＥＰＲＯＭ２１Ｅは記憶部の一例である。
【００３４】
表示部２２は液晶ディスプレイなどの表示装置、表示装置を駆動する駆動回路などを備えて構成されている。
操作部２３は表示装置を覆うタッチパネル、その他各種の操作ボタンなどを備えている。ユーザは操作部２３を操作することによって各種の指示や情報を入力することができる。操作部２３は指示受付部の一例である。
【００３５】
回線通信部２４はＮＣＵ（Ｎｅｔｗｏｒｋ  Ｃｏｎｔｒｏｌ  Ｕｎｉｔ）、モデム、着信音を鳴らすためのスピーカ、これらを制御する制御回路などを備えている。ＮＣＵは図示しない電話回線によって電話網１３に接続されている。回線通信部２４は外部のＦＡＸ装置１１との間で電話網１３を介してＦＡＸデータを送受信する。また、回線通信部２４は通話部２８による通話にも用いられる。回線通信部２４はデータ受信部の一例である。また、電話回線は通話回線の一例である。
【００３６】
画像読取部２５は原稿を照射する光源、イメージセンサ、原稿によって反射された光をイメージセンサに結像する光学系などを備えており、原稿を読み取って画像データを生成する。生成された画像データは回線通信部２４によって外部のＦＡＸ装置１１に送信される。
【００３７】
印刷部２６は回線通信部２４によって受信したＦＡＸデータが表す画像を印刷用紙などのシートに電子写真方式やインクジェット方式などで印刷する。
ネットワーク通信部２７はＦＡＸ装置１０を通信ネットワーク１４に接続するためのハードウェアである。ネットワーク通信部２７はデータ転送部の一例である。
【００３８】
通話部２８は回線通信部２４を介して外部の電話機と通話するためのものである。通話部２８は受話器、オフフック検出部などを備えている。オフフック検出部は受話器を持ち上げて回線を閉結する所謂オフフック、及び、受話器を元の位置に置くことによって回線を切断する所謂オンフックを検出するための機械的にオン／オフされるスイッチである。
【００３９】
ＦＡＸ装置１０は、ユーザが受話器を用いて通話する場合は回線通信部２４を介して外部の通話相手と受話器との間で通話を中継する。ＦＡＸ装置１０が通話を中継する処理は中継処理の一例である。
【００４０】
子機通信部２９は子機１５と無線通信するためのハードウェアである。子機１５との無線通信は例えばＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）と呼ばれる通信規格に従って行われる。子機通信部２９は指示受付部の一例である。
【００４１】
ＦＡＸ装置１０は、ユーザが子機１５を用いて通話する場合は回線通信部２４と子機通信部２９とを介して外部の通話相手と子機１５との間で通話を中継する。ＦＡＸ装置１０が通話を中継する処理は中継処理の一例である。
【００４２】
（３）ＦＡＸデータの自動受信、及び、手動受信
ＦＡＸ装置１０は二つの方法でＦＡＸデータを受信することができる。一つは自動受信であり、もう一つは手動受信である。
【００４３】
先ず、自動受信について説明する。ＦＡＸ装置１０に着信があったとき、ＦＡＸ装置１０は着信音を一定回数鳴らしても受話器又は子機１５でオフフックが行われなかった場合は自動でオフフックする。そして、ＦＡＸ装置１０はその着信がＦＡＸ着信である場合はＦＡＸデータを受信する。つまり、自動受信ではユーザが介在することなくＦＡＸデータが受信される。
【００４４】
次に、手動受信について説明する。手動受信はユーザからＦＡＸデータの受信指示を受け付けた場合にＦＡＸデータを受信するものである。手動受信にはＦＡＸ着信があった場合に行われる手動受信と、外部のＦＡＸ装置１１のユーザとの通話中に行われる手動受信とがある。
【００４５】
先ず、ＦＡＸ着信があった場合に行われる手動受信について説明する。着信音が一定回数に達する前にユーザが受話器あるいは子機１５でオフフックを行ったとき、「ポーポー」のようにＦＡＸ着信であることを示す音がしていたら、ユーザは操作部２３あるいは子機１５のＦＡＸボタンを押下してＦＡＸモードにし、ＦＡＸ受信のスタートボタンを押下する。これにより、ＦＡＸ装置１０によってＦＡＸデータの受信指示が受け付けられる。
【００４６】
次に、外部のＦＡＸ装置１１のユーザとの通話中に行われる手動受信について説明する。外部のＦＡＸ装置１１のユーザとの通話中に行われる手動受信は、外部のＦＡＸ装置１１が電話機能付きのＦＡＸ装置であり、ＦＡＸ装置１０のユーザが受話器あるいは子機１５を用いて外部のＦＡＸ装置１１のユーザと通話しているときに行われる。
【００４７】
具体的には、ＦＡＸ装置１０のユーザは、外部のＦＡＸ装置１１のユーザと通話しているとき、ＦＡＸモードに切り替えることを外部のＦＡＸ装置１１のユーザに伝え、その後に操作部２３あるいは子機１５のＦＡＸボタンを押下してＦＡＸモードにし、ＦＡＸ受信のスタートボタンを押下する。これにより、ＦＡＸ装置１０によってＦＡＸデータの受信指示が受け付けられる。
【００４８】
ＦＡＸ装置１０は受信指示を受け付けると外部のＦＡＸ装置１１にＦＡＸデータの送信を要求し、当該外部のＦＡＸ装置１１からＦＡＸデータを受信する。ＦＡＸ装置１０が操作部２３あるいは子機１５から受信指示を受け付ける処理は指示受付処理の一例である。
【００４９】
（４）転送設定
転送設定とは、受信したＦＡＸデータをクラウドサーバ１２に転送するか否かの設定である。ＦＡＸ装置１０のユーザは、受信したＦＡＸデータをクラウドサーバ１２に転送させたい場合は、予め操作部２３を操作して転送設定をオンにしておく。逆に、転送されないようにしたい場合は、ユーザは転送設定をオフにしておく。
【００５０】
ただし、本実施形態では、自動受信によってＦＡＸデータを受信した場合や、ＦＡＸ着信があった場合に行われる手動受信によってＦＡＸデータを受信した場合は、転送設定がオンであってもＦＡＸデータを転送しない。その理由については後述する。ＦＡＸデータを転送しない場合はそのＦＡＸデータはＲＡＭ２１Ｃに記憶され、ユーザによって印刷が指示されたときに印刷部２６によって印刷される。
【００５１】
（５）ＦＡＸデータの転送先
前述したように、ＦＡＸ装置１０は、外部のＦＡＸ装置１１のユーザとの通話中に行われる手動受信でＦＡＸデータを受信した場合であって、転送設定がオンである場合は、受信したＦＡＸデータをクラウドサーバ１２に転送する。
【００５２】
ところで、クラウドサーバ１２が複数ある場合は、ユーザは受信したＦＡＸデータを自身が意図するクラウドサーバ１２に転送させたい場合がある。この場合、全てのクラウドサーバ１２を選択画面に表示してユーザに転送先のクラウドサーバ１２を選択させると、ユーザは多くのクラウドサーバ１２の中から自身の意図するクラウドサーバ１２を見つけ出さなければならず、ユーザにとって負担である。
【００５３】
そこで、本実施形態では、ＦＡＸ装置１０や子機１５とユーザが意図するクラウドサーバ１２との対応関係を予め後述する対応付けテーブル４０（図３参照）に登録しておくことができる。この対応付けはユーザがＦＡＸ装置１０の操作部２３を操作することによって行うことができる。以降の説明ではＦＡＸ装置１０や子機１５のことを単に装置というものとする。
【００５４】
そして、ＦＡＸ装置１０は、外部のＦＡＸ装置１１のユーザとの通話中に行われる手動受信でＦＡＸデータを受信した場合であって、転送設定がオンである場合は、ＦＡＸデータの受信指示を行った装置に対応付けられているクラウドサーバ１２にＦＡＸデータを転送する。
【００５５】
（６）対応付けテーブル
図３を参照して、前述した対応付けテーブル４０について説明する。対応付けテーブル４０はＦＡＸ装置１０のＥＥＰＲＯＭ２１Ｅに記憶されている。
【００５６】
図３に示す例では、例えばＦＡＸ装置１０には転送先としてクラウドサーバ１２Ａ、及び、１２Ｃが対応付けられている。また、例えば子機１５Ａにはクラウドサーバ１２Ａ、及び、１２Ｂが対応付けられている。
【００５７】
図３に示すように、一つの装置には複数のクラウドサーバ１２を対応付けることができる。ＦＡＸ装置１０は、一つの装置に複数のクラウドサーバ１２が対応付けられている場合は、受信指示を行った装置が備える表示部に図示しない選択画面を表示して、当該装置に対応付けられているクラウドサーバ１２の中から転送先のクラウドサーバ１２の選択を受け付ける。そして、ＦＡＸ装置１０は、ユーザによって選択されたクラウドサーバ１２にＦＡＸデータを転送する。
【００５８】
ここで、上述した選択画面に表示されるクラウドサーバ１２は受信指示を行った装置に対応付けられているクラウドサーバ１２だけであるので、ユーザは自身が使用する装置に自身が意図するクラウドサーバ１２だけを対応付けておけば、意図しないクラウドサーバ１２にＦＡＸデータが転送されてしまうことを抑制できる。
【００５９】
（７）ＦＡＸデータの転送の例外
前述したように、ＦＡＸ装置１０は、自動受信によってＦＡＸデータを受信した場合や、ＦＡＸ着信があった場合に行われる手動受信によってＦＡＸデータを受信した場合は、転送設定がオンであってもＦＡＸデータを転送しない。以下、その理由について説明する。
【００６０】
自動受信の場合はＦＡＸデータを転送しない理由は、一般にＦＡＸデータはＦＡＸ装置１０に宛てて送信されるものであり、そのＦＡＸ装置１０を使用しているどのユーザに宛てたものであるかまでは判らないので、どのユーザが意図するクラウドサーバ１２に転送すればよいか判らないからである。
【００６１】
ＦＡＸ着信があった場合に行われる手動受信の場合はＦＡＸデータを転送しない理由は、ＦＡＸ装置１０にＦＡＸ着信があったとき、どのユーザであってもオフフックを行って受信指示を行うことができるので、必ずしもＦＡＸデータの宛先のユーザがオフフックを行って受信指示を行うとは限らないからである。例えばＦＡＸデータの宛先がユーザＡである場合に、ＦＡＸ装置１０に着信があったとき、別のユーザＢが自身の子機１５でオフフックを行って受信指示を行う場合もある。その場合、受信指示を行った装置に対応付けられているクラウドサーバ１２にＦＡＸデータを転送すると、本来の宛先であるユーザＡが意図するクラウドサーバ１２とは異なるクラウドサーバ１２に転送されてしまう虞があるからである。
【００６２】
これに対し、外部のＦＡＸ装置１１のユーザとの通話中に行われる手動受信の場合は、ＦＡＸデータの宛先は現在通話中のユーザである。このため、例えば子機１５が配布されているユーザはその子機１５に自身の意図するクラウドサーバ１２を予め対応付けておき、その子機１５を用いて外部のＦＡＸ装置１１と通話し、その通話中に受信指示を行うことにより、自身に宛てたＦＡＸデータが自身の意図するクラウドサーバ１２に転送されるようにすることができる。
【００６３】
（８）サインイン情報
前述したように、クラウドサーバ１２にデータを記憶させたりクラウドサーバ１２に記憶されているデータにアクセスしたりするためには予めクラウドサーバ１２にサインインする必要がある。
【００６４】
このため、各装置には、その装置に対応付けられているクラウドサーバ１２にサインインするためのサインイン情報が記憶されている。例えば図３に示す例では子機１５Ａにクラウドサーバ１２Ａ及びクラウドサーバ１２Ｂが対応付けられている。この場合は、子機１５Ａには、クラウドサーバ１２Ａにサインインするためのサインイン情報、及び、クラウドサーバ１２Ｂにサインインするためのサインイン情報が記憶されているものとする。
【００６５】
（９）ＦＡＸデータの受信処理
次に、図４を参照して、ＣＰＵ２１Ａによって実行されるＦＡＸデータの受信処理について説明する。本処理はＦＡＸ装置１０に着信があってオフフックが行われると開始される。ここでいう着信にはＦＡＸ着信も通話着信も含まれる。また、ここでいうオフフックには、着信音を鳴らした回数が一定回数に達する前に受話器又は子機１５によって行われるオフフックも、一定回数に達したことによって自動で行われるオフフックも含まれる。また、ここでは転送設定がオンであるという前提で説明する。
【００６６】
ここで、前述した外部のＦＡＸ装置１１のユーザとの通話中に行われる手動受信は、外部のＦＡＸ装置１１からＦＡＸ装置１０に発呼されて通話が行われる場合と、ＦＡＸ装置１０から外部のＦＡＸ装置１１に発呼されて通話が行われる場合とがある。図４に示すフローチャートはＦＡＸ装置１０に着信があった場合の処理であるので、ＦＡＸ装置１０から外部のＦＡＸ装置１１に発呼されて通話が行われる場合は除外されている。この場合についての説明は後述する。
【００６７】
Ｓ１０１では、ＣＰＵ２１Ａは着信がＦＡＸ着信であるか通話着信であるかを判断し、ＦＡＸ着信である場合（Ｓ１０１：Ｙｅｓ）はＳ１０２に進み、通話着信である場合（Ｓ１０１：Ｎｏ）はＳ１０４に進む。
【００６８】
Ｓ１０２では、ＣＰＵ２１Ａは回線通信部２４を用いて、外部のＦＡＸ装置１１からＦＡＸデータを受信する。
Ｓ１０３では、ＣＰＵ２１ＡはＳ１０２で受信したＦＡＸデータをＲＡＭ２１Ｃに記憶する。
【００６９】
ここで、自動受信の場合はＳ１０１でＦＡＸ着信であると判断されるので、Ｓ１０２に進んでＦＡＸデータが受信され、Ｓ１０３においてＦＡＸデータがＲＡＭに記憶される。このためＦＡＸデータは転送されない。
【００７０】
また、ＦＡＸ着信があった場合に行われる手動受信の場合も、ＦＡＸ着信であるのでＣＰＵ２１ＡはＳ１０２に進む。ただし、この場合は、Ｓ１０２に進んでも、ユーザが一定時間以内に操作部２３あるいは子機１５で受信指示を行わなければＦＡＸデータの受信は行われない。ユーザが一定時間以内に操作部２３あるいは子機１５で受信指示を行った場合はＳ１０２でＦＡＸデータが受信され、Ｓ１０３でそのＦＡＸデータがＲＡＭ２１Ｃに記憶される。このためＦＡＸデータは転送されない。
【００７１】
Ｓ１０４では、ＣＰＵ２１Ａはオフフックが行われたのが着信音を鳴らした回数が一定回数に達する前であったのか一定回数に達したときであるのかを判断し、一定回数に達する前であった場合（Ｓ１０４：Ｙｅｓ）はＳ１０５に進み、一定回数に達したときである場合（Ｓ１０４：Ｎｏ）はＳ１０６に進む。
【００７２】
Ｓ１０５では、ＣＰＵ２１Ａは通話中の受信・転送処理を実行する。
Ｓ１０６では、ＣＰＵ２１Ａは通話相手からの音声メッセージを録音する。これは、Ｓ１０１で通話着信と判断され、Ｓ１０４で着信音を鳴らした回数が一定回数に達して自動でオフフックされたと判断されているので、ユーザが電話に出ていないからである。
【００７３】
（９−１）通話中の受信・転送処理
次に、図５を参照して、Ｓ１０５で実行される通話中の受信・転送処理について説明する。
【００７４】
Ｓ２０１では、ＣＰＵ２１ＡはユーザがＦＡＸ装置１０の受話器でオフフックを行ったのか子機１５でオフフックを行ったのかを判断し、受話器でオフフックを行った場合（Ｓ２０１：Ｙｅｓ）はＳ２０２に進み、子機１５でオフフックを行った場合（Ｓ２０１：Ｎｏ）はＳ２０５に進む。Ｓ２０１は特定処理の一例である。
【００７５】
Ｓ２０２では、ＣＰＵ２１Ａは通話が終了したか否かを判断する。言い換えると、ＣＰＵ２１ＡはＦＡＸ装置１０でオンフックが行われたか否かを判断する。ＣＰＵ２１Ａは、通話が終了していない場合（Ｓ２０２：Ｎｏ）はＳ２０３に進み、終了した場合（Ｓ２０２：Ｙｅｓ）は本処理を終了してＦＡＸデータの受信処理に戻る。
【００７６】
Ｓ２０３では、ＣＰＵ２１ＡはＦＡＸ装置１０の操作部２３から受信指示を受け付けたか否かを判断し、受け付けた場合（Ｓ２０３：Ｙｅｓ）はＳ２０４に進み、受け付けていない場合（Ｓ２０３：Ｎｏ）はＳ２０２に戻って処理を繰り返す。ＦＡＸ装置１０の操作部２３から受信指示を受け付ける処理は指示受付処理の一例である。
【００７７】
Ｓ２０４では、ＣＰＵ２１ＡはＦＡＸ装置１０の場合の受信・転送処理を実行する。ＦＡＸ装置の場合の受信・転送処理についての説明は後述する。
Ｓ２０５では、ＣＰＵ２１Ａは通話が終了したか否かを判断し、通話が終了していない場合（Ｓ２０５：Ｎｏ）はＳ２０６に進み、終了した場合（Ｓ２０５：Ｙｅｓ）は本処理を終了してＦＡＸデータの受信処理に戻る。
【００７８】
Ｓ２０６では、ＣＰＵ２１Ａは子機１５から受信指示を受け付けた否かを判断し、受け付けた場合（Ｓ２０６：Ｙｅｓ）はＳ２０７に進み、受け付けていない場合（Ｓ２０６：Ｎｏ）はＳ２０５に戻って処理を繰り返す。子機１５から受信指示を受け付ける処理は指示受付処理の一例である。
Ｓ２０７では、ＣＰＵ２１Ａは子機の場合の受信・転送処理を実行する。子機の場合の受信・転送処理についての説明は後述する。
【００７９】
（９−２）ＦＡＸ装置の場合の受信・転送処理
次に、図６を参照して、Ｓ２０４で実行されるＦＡＸ装置の場合の受信・転送処理について説明する。
【００８０】
Ｓ３０１では、ＣＰＵ２１Ａは回線通信部２４を用いて、外部のＦＡＸ装置１１からＦＡＸデータを受信する。Ｓ３０１は受信処理の一例である。
Ｓ３０２では、ＣＰＵ２１Ａは対応付けテーブル４０からＦＡＸ装置１０に対応付けられているクラウドサーバ１２を読み出す。Ｓ３０２は読出処理の一例である。
【００８１】
Ｓ３０３では、ＣＰＵ２１ＡはＳ３０２で読み出したクラウドサーバ１２のうちＥＥＰＲＯＭ２１Ｅにサインイン情報が記憶されているクラウドサーバ１２を抽出する。Ｓ３０３は抽出処理の一例である。
Ｓ３０４では、ＣＰＵ２１ＡはＳ３０３で複数のクラウドサーバ１２が抽出されたか否かを判断し、複数のクラウドサーバ１２が抽出された場合（Ｓ３０４：Ｙｅｓ）はＳ３０５に進み、抽出されたクラウドサーバ１２が一つだけである場合（Ｓ３０４：Ｎｏ）はＳ３０５をスキップしてＳ３０６に進む。
【００８２】
Ｓ３０５では、ＣＰＵ２１Ａは表示部２２に選択画面を表示させる。そして、ＣＰＵ２１Ａはその選択画面にＳ３０３で抽出したクラウドサーバ１２を表示してユーザから転送先のクラウドサーバ１２の選択を受け付ける。Ｓ３０５は選択受付処理の一例である。
【００８３】
Ｓ３０６では、ＣＰＵ２１ＡはＥＥＰＲＯＭ２１Ｅから転送先のクラウドサーバ１２のサインイン情報を読み出す。転送先のクラウドサーバ１２とは、Ｓ３０３で複数のクラウドサーバ１２が抽出された場合はＳ３０５で選択されたクラウドサーバ１２のことであり、Ｓ３０３で抽出されたクラウドサーバ１２が一つだけである場合はそのクラウドサーバ１２のことである。
【００８４】
Ｓ３０７では、ＣＰＵ２１ＡはＳ３０６で読み出したサインイン情報を転送先のクラウドサーバ１２に送信してサインインする。
Ｓ３０８では、ＣＰＵ２１ＡはＳ３０１で受信したＦＡＸデータを、ネットワーク通信部２７を用いて、転送先のクラウドサーバ１２に転送する。Ｓ３０８は転送処理の一例である。
【００８５】
（９−３）子機の場合の受信・転送処理
次に、図７を参照して、Ｓ２０７で実行される子機の場合の受信・転送処理について説明する。
【００８６】
Ｓ４０１では、ＣＰＵ２１Ａは回線通信部２４を用いて、外部のＦＡＸ装置１１からＦＡＸデータを受信する。Ｓ４０１は受信処理の一例である。
Ｓ４０２では、ＣＰＵ２１Ａは受信指示の指示元が、いずれの子機１５であるかを特定する。Ｓ４０２は特定処理の一例である。
【００８７】
Ｓ４０３では、ＣＰＵ２１Ａは対応付けテーブル４０からＳ４０２で特定した子機１５に対応付けられているクラウドサーバ１２を読み出す。Ｓ４０３は読出処理の一例である。
Ｓ４０４では、ＣＰＵ２１ＡはＳ４０２で読み出したクラウドサーバ１２のうちＳ４０２で特定した子機１５にサインイン情報が記憶されているクラウドサーバ１２を抽出する。Ｓ４０４は抽出処理の一例である。
【００８８】
Ｓ４０５では、ＣＰＵ２１ＡはＳ４０４で複数のクラウドサーバ１２が抽出されたか否かを判断し、複数のクラウドサーバ１２が抽出された場合（Ｓ４０５：Ｙｅｓ）はＳ４０６に進み、抽出されたクラウドサーバ１２が一つだけである場合（Ｓ４０５：Ｎｏ）はＳ４０６をスキップしてＳ４０７に進む。
【００８９】
Ｓ４０６では、ＣＰＵ２１ＡはＳ４０２で特定した子機１５が備える表示部に選択画面を表示させる。そして、ＣＰＵ２１Ａはその選択画面にＳ４０４で抽出したクラウドサーバ１２を表示させる。子機１５はユーザから転送先のクラウドサーバ１２の選択を受け付け、受け付けたクラウドサーバ１２をＦＡＸ装置１０に通知する。Ｓ４０６は選択受付処理の一例である。
【００９０】
Ｓ４０７では、ＣＰＵ２１ＡはＳ４０２で特定した子機１５から転送先のクラウドサーバ１２のサインイン情報を取得する。転送先のクラウドサーバ１２とは、Ｓ４０４で複数のクラウドサーバ１２が抽出された場合はＳ４０６で選択されたクラウドサーバ１２のことであり、Ｓ４０４で抽出されたクラウドサーバ１２が一つだけである場合はそのクラウドサーバ１２のことである。Ｓ４０７は取得処理の一例である。
【００９１】
Ｓ４０８では、ＣＰＵ２１ＡはＳ４０７で取得したサインイン情報を転送先のクラウドサーバ１２に送信してサインインする。Ｓ４０８は送信処理の一例である。
Ｓ４０９では、ＣＰＵ２１ＡはＳ４０１で受信したＦＡＸデータを、ネットワーク通信部２７を用いて、転送先のクラウドサーバ１２に転送する。Ｓ４０９は転送処理の一例である。
【００９２】
（１０）ＦＡＸ装置から発呼されて通話が行われる場合の手動受信
次に、ＦＡＸ装置１０から外部のＦＡＸ装置１１に発呼されて通話が行われる場合の、外部のＦＡＸ装置１１のユーザとの通話中に行われる手動受信について説明する。
【００９３】
先ず、ＦＡＸ装置１０の受話器を用いて発呼された場合について説明する。この場合は、ＣＰＵ２１Ａは、外部のＦＡＸ装置１１との回線が確立されると、図５に示すＳ２０２〜Ｓ２０４を実行する。
【００９４】
次に、子機１５を用いて発呼された場合について説明する。この場合は、ＣＰＵ２１Ａは、外部のＦＡＸ装置１１との回線が確立されると、図５に示すＳ２０５〜Ｓ２０７を実行する。
【００９５】
（１１）実施形態の効果
以上説明したＦＡＸ装置１０によると、ユーザは意図するクラウドサーバ１２が対応付けられている装置を用いて外部のＦＡＸ装置１１と通話し、その通話中に受信指示を行うことにより、意図しないクラウドサーバ１２にＦＡＸデータが転送されてしまうことを低減できる。
【００９６】
ところで、受信指示を行った装置によらず全てのクラウドサーバ１２を表示してユーザに転送先のクラウドサーバ１２を選択させることも可能である。しかしながら、そのようにするとユーザは多くのクラウドサーバ１２の中から自身の意図するクラウドサーバ１２を見つけ出さなければならず、ユーザにとって負担である。ＦＡＸ装置１０によると、受信指示を行った装置にクラウドサーバ１２が一つしか対応付けられていない場合は選択自体を行わなくてよいのでユーザの負担を抑制できる。また、受信指示を行った装置に複数のクラウドサーバ１２が対応付けられている場合であっても、選択画面に表示されるのは受信指示を行った装置に対応付けられているクラウドサーバ１２だけであるので、全てのクラウドサーバ１２が表示される場合に比べてユーザの負担を抑制できる。
【００９７】
よって、ＦＡＸ装置１０によると、受信したＦＡＸデータを複数のクラウドサーバ１２のうちいずれかのクラウドサーバ１２に転送する場合に、ユーザの負担を抑制しつつ、ユーザが意図しないクラウドサーバ１２に転送してしまうことを低減することができる。
【００９８】
更に、ＦＡＸ装置１０によると、受信指示を行った装置にサインイン情報が記憶されていないクラウドサーバ１２は選択画面に表示されない（Ｓ３０３〜Ｓ３０５、Ｓ４０４〜Ｓ４０６）。サインイン情報が記憶されていないクラウドサーバ１２にはＦＡＸデータを転送できないので、サインイン情報が記憶されていないクラウドサーバ１２は選択画面に表示しないことにより、ＦＡＸデータを転送できないクラウドサーバ１２が選択画面に表示されてしまわないようにすることができる。
【００９９】
更に、ＦＡＸ装置１０によると、サインイン情報が記憶されているクラウドサーバ１２にＦＡＸデータを転送する。サインイン情報が記憶されていないクラウドサーバ１２にはサインインできないのでＦＡＸデータを転送できない。つまり、サインイン情報が記憶されていないクラウドサーバ１２はユーザが意図しないクラウドサーバ１２であるといえる。ＦＡＸ装置１０によると、サインイン情報が記憶されているクラウドサーバ１２にＦＡＸデータを転送するので、ユーザが意図しないクラウドサーバ１２にＦＡＸデータを転送してしまうことを低減できる。
【０１００】
更に、ＦＡＸ装置１０によると、受信指示を行った装置が子機１５である場合は当該子機１５からサインイン情報を取得するので、子機１５に対応付けられているクラウドサーバ１２のサインイン情報をＦＡＸ装置１０に記憶しておかなくてよい。
【０１０１】
更に、ＦＡＸ装置１０によると、ＦＡＸ着信によりＦＡＸデータを受信した場合はＦＡＸデータを転送しない。ここでＦＡＸ着信によってＦＡＸデータを受信した場合とは、自動受信によってＦＡＸデータを受信した場合、及び、ＦＡＸ着信があった場合に行われる手動受信によってＦＡＸデータを受信した場合のことである。ＦＡＸ着信によりＦＡＸデータを受信した場合、ＦＡＸデータを転送するとユーザはユーザの望まないＦＡＸデータまでもが転送される虞がある。ＦＡＸ装置１０によると、ＦＡＸ着信によりＦＡＸデータを受信した場合はＦＡＸデータを転送しないので、ユーザの望まないＦＡＸデータが転送されないようにすることができる。
【０１０２】
更に、ＦＡＸ装置１０によると、ユーザは外部のＦＡＸ装置１１のユーザとの通話中に行われる手動受信によってＦＡＸデータの受信指示を行うことができる。外部のＦＡＸ装置１１のユーザとの通話中に行われる手動受信ではＦＡＸデータの宛先のユーザが一意に決まるので、受信したＦＡＸデータをそのＦＡＸデータの宛先のユーザが意図するクラウドサーバ１２に転送することができる。
【０１０３】
＜実施形態２＞
次に、実施形態２を説明する。
前述した実施形態１では対応付けテーブル４０を用いてＦＡＸ装置１０や子機１５と転送先のクラウドサーバ１２とを対応付ける場合を例に説明した。これに対し、実施形態２では対応付けテーブル４０を用いない。
【０１０４】
実施形態２では、ＦＡＸ装置１０や子機１５にその装置を使用するユーザが意図するクラウドサーバ１２のサインイン情報が記憶されている。そして、ＦＡＸ装置１０は、受信指示を行った装置にサインイン情報が記憶されているクラウドサーバ１２を、その装置に対応付けられているクラウドサーバ１２とする。
【０１０５】
例えば子機１５Ａにクラウドサーバ１２Ａのサインイン情報、及び、クラウドサーバ１２Ｃのサインイン情報が記憶されているとする。この場合、実施形態２に係るＦＡＸ装置１０は、クラウドサーバ１２Ａ、及び、クラウドサーバ１２Ｃを、子機１５Ａに対応付けられているクラウドサーバ１２とする。
【０１０６】
実施形態２に係るＣＰＵ２１Ａは、図６に示すＦＡＸ装置の場合の受信・転送処理のＳ３０２及びＳ３０３に替えて、ＦＡＸ装置１０にサインイン情報が記憶されているクラウドサーバ１２を抽出する処理を実行する。同様に、ＣＰＵ２１Ａは図７に示す子機の場合の受信・転送処理のＳ４０３及びＳ４０４に替えて、受信指示を行った子機１５にサインイン情報が記憶されているクラウドサーバ１２を抽出する処理を実行する。具体的には例えば、受信指示を行った装置が子機１５である場合は、ＦＡＸ装置１０は当該子機１５に記憶されているサインイン情報に対応するクラウドサーバ１２を通知するよう当該子機１５に要求し、該当するクラウドサーバ１２の名称等を受信する。実施形態２はその他の点において実施形態１と実質的に同一である。
【０１０７】
以上説明した実施形態２に係るＦＡＸ装置１０によると、ＦＡＸ装置１０に対応付けテーブル４０を記憶しておかなくてもよい。
【０１０８】
＜他の実施形態＞
上記記述及び図面によって説明した実施形態に限定されるものではなく、例えば次のような実施形態も技術的範囲に含まれる。
【０１０９】
（１）上記実施形態ではＦＡＸ着信があった場合に行われる手動受信によってＦＡＸデータを受信した場合はＦＡＸデータを転送しない場合を例に説明した。これに対し、ＦＡＸ着信があった場合に行われる手動受信によってＦＡＸデータを受信した場合もＦＡＸデータを転送してもよい。
【０１１０】
例えば、一人のユーザがＦＡＸ装置１０と子機１５とを利用する場合に、ＦＡＸ装置１０と子機１５とに異なるクラウドサーバ１２を対応付けておいてもよい。そして、ユーザは、ＦＡＸ装置１０に着信があったとき、その着信がＦＡＸ着信であるか通話着信であるかによらず、そのときＦＡＸデータを転送させたいクラウドサーバ１２が対応付けられている装置でオフフックを行って受信指示を行ってもよい。このようにすれば、その着信がＦＡＸ着信であった場合には、そのときＦＡＸデータを転送させたいクラウドサーバ１２にＦＡＸデータを転送させることができる。
【０１１１】
（２）上記実施形態ではＦＡＸ装置１０はＦＡＸ装置１０の操作部２３及び子機１５の両方から受信指示を受け付ける場合を例に説明した。これに対し、子機１５が２以上ある場合は子機１５のみから受信指示を受け付けてもよい。つまり、子機１５が２以上ある場合は、ＦＡＸ装置１０の操作部２３からは受信指示を受け付けないようにしてもよい。
【０１１２】
（３）上記実施形態では回線通信部２４を用いてＦＡＸデータを受信する場合を例に説明した。これに対し、通信ネットワーク１４に接続されている外部のＦＡＸ装置からネットワーク通信部２７を介してＦＡＸデータを受信してもよい。この場合はネットワーク通信部２７がデータ受信部とデータ転送部とを兼ねることになる。
【０１１３】
（４）上記実施形態１では転送設定がオンであっても自動受信によってＦＡＸデータが受信された場合やＦＡＸ着信があった場合に行われる手動受信によってＦＡＸデータが受信された場合はＦＡＸデータを転送しない場合を例に説明した。これに対し、これらの場合は予め設定されているクラウドサーバ１２にＦＡＸデータを転送するようにしてもよい。
【０１１４】
（５）上記実施形態１及び２では、図６に示すＦＡＸ装置の場合の受信・転送処理や図７に示す子機の場合の受信・転送処理において、抽出されたクラウドサーバ１２が一つだけである場合は選択画面を表示しない場合を例に説明した。これに対し、抽出されたクラウドサーバ１２が一つだけであっても選択画面を表示するようにしてもよい。
【０１１５】
（６）上記実施形態では転送先としてクラウドサーバ１２を例に説明した。しかしながら、転送先はクラウドサーバ１２に限定されるものではない。例えば、転送先はＦＡＸデータの送信元のＦＡＸ装置とは別のＦＡＸ装置であってもよい。その場合は回線通信部２４がデータ転送部の一例である。また、転送先はＦＡＸ装置１０を所有する組織内の通信ネットワーク１４に接続されているファイルサーバなどであってもよい。
【０１１６】
（７）上記実施形態では、Ｓ３０５においてＣＰＵ２１Ａは表示部２２に選択画面を表示させて、ユーザから転送先のクラウドサーバ１２の選択を受け付けたり、Ｓ４０６においてＣＰＵ２１ＡはＳ４０２で特定した子機１５が備える表示部に選択画面を表示させてユーザから転送先のクラウドサーバ１２の選択を受け付けたりしていたが、これらに限られるものではない。例えば、選択画面を表示させず、ＦＡＸ装置１０に対応付けられているクラウドサーバ１２に自動的に転送されるようにしたり、特定した子機１５に対応付けられているクラウドサーバ１２に自動的に転送されるようにしたりしてもよい。
【０１１７】
また、対応付けられているクラウドサーバ１２の全てに自動的に転送されるようにしてもよいし、対応付けられているクラウドサーバ１２の一部に自動的に転送されるようにしてもよい。
【０１１８】
（８）上記実施形態２では対応付けテーブル４０を用いないので、子機１５は、ＦＡＸ装置１０から自装置に記憶されているサインイン情報に対応するクラウドサーバ１２を通知するように要求された場合に、自装置に記憶されているサインイン情報に対応するクラウドサーバ１２の全部又は一部について、当該クラウドサーバ１２の名称等を返信するようにしてもよい。
【０１１９】
（９）上記実施形態では、Ｓ４０７において、ＣＰＵ２１ＡはＳ４０２で特定した子機１５から転送先のクラウドサーバ１２のサインイン情報を取得していたが、これに限られるものではない。例えば、ＥＥＰＲＯＭ２１Ｅには子機１５に対応付けられているクラウドサーバ１２のサインイン情報も記憶されており、ＣＰＵ２１Ａは子機１５に対応付けられているクラウドサーバ１２のサインイン情報をＥＥＰＲＯＭ２１Ｅから読み出すようにしてもよい。
【０１２０】
（１０）上記実施形態ではファクシミリ装置としてＦＡＸ装置１０を例に説明した。これに対し、ファクシミリ装置は印刷機能、画像読取機能、コピー機能、ＦＡＸ機能などを備える所謂複合機であってもよい。
【０１２１】
（１１）上記実施形態ではＣＰＵ２１Ａによって各処理が実行される場合を例に説明した。これに対し、これらの処理の一部はＡＳＩＣ２１Ｄによって実行されてもよい。また、制御部２１はＡＳＩＣ２１Ｄを備えていなくてもよい。また、制御部２１は複数のＣＰＵを備え、上述した処理を複数のＣＰＵによって分担して実行してもよい。
【符号の説明】
【０１２２】
１０・・・ＦＡＸ装置、１１・・・外部のファクシミリ装置、１２・・・クラウドサーバ、１５・・・子機、２１・・・制御部、２１Ａ・・・ＣＰＵ、２１Ｂ・・・ＲＯＭ、２１Ｃ・・・ＲＡＭ、２１Ｅ・・・ＥＥＰＲＯＭ、２２・・・表示部、２３・・・操作部、２４・・・回線通信部、２７・・・ネットワーク通信部、２８・・・通話部、２９・・・子機通信部、４０・・・対応付けテーブル
【図１】
2015070530.tif 000003
【図２】
2015070530.tif 000004
【図３】
2015070530.tif 000005
【図４】
2015070530.tif 000006
【図５】
2015070530.tif 000007
【図６】
2015070530.tif 000008
【図７】
2015070530.tif 000009